(57)【要約】【課題】  この発明は、ステレオ感の向上化が図れる音声回路を提供することを目的とする。【解決手段】  ステレオ用の２つのマイクロホン、各マイクロホン毎に設けられかつマイクロホンの出力信号を増幅するための２つの利得可変増幅器および両マイクロホンの出力信号レベルに基づいて、両利得可変増幅器の利得を制御する利得制御手段を備えており、利得制御手段は、出力信号レベルが高い方のマイクロホンに対応する利得可変増幅器の利得を大きくさせ、出力信号レベルが低い方のマイクロホンに対応する利得可変増幅器の利得を小さくさせるように、両利得可変増幅器の利得を制御するものである。【選択図】  図１
2005328114.tif 000002
【特許請求の範囲】
【請求項１】
ステレオ用の２つのマイクロホン、
各マイクロホン毎に設けられかつマイクロホンの出力信号を増幅するための２つの利得可変増幅器、および
両マイクロホンの出力信号レベルに基づいて、両利得可変増幅器の利得を制御する利得制御手段を備えており、
利得制御手段は、出力信号レベルが高い方のマイクロホンに対応する利得可変増幅器の利得を大きくさせ、出力信号レベルが低い方のマイクロホンに対応する利得可変増幅器の利得を小さくさせるように、両利得可変増幅器の利得を制御するものであることを特徴とする音声回路。
【請求項２】
ステレオ用の２つのマイクロホン、
各マイクロホン毎に設けられかつマイクロホンの出力信号を増幅するための２つの利得固定増幅器、
各利得固定増幅器毎に設けられかつ利得固定増幅器の出力信号を増幅するための２つの利得可変増幅器、および
両利得固定増幅器の出力信号レベルに基づいて、両利得可変増幅器の利得を制御する利得制御手段を備えており、
利得制御手段は、出力信号レベルが高い方の利得固定増幅器に対応する利得可変増幅器の利得を大きくさせ、出力信号レベルが低い方の利得固定増幅器に対応する利得可変増幅器の利得を小さくさせるように、両利得可変増幅器の利得を制御するものであることを特徴とする音声回路。
【発明の詳細な説明】
【技術分野】
【０００１】
この発明は、ＩＣレコーダ等に用いられる音声回路に関する。
【背景技術】
【０００２】
小型のスレオマイクでは、２つのマイクをそれらの向きが９０度異なる方向となるように配置することにより、ステレオ感を得るようにしていた。
【０００３】
例えば、ＩＣレコーダに内蔵されているステレオ用の２つのマイクロホンの間隔は、ＩＣレコーダの筐体が小さいため、非常に小さい。このため、再生された音声は、ステレオ感に乏しいという問題がある。
【発明の開示】
【発明が解決しようとする課題】
【０００４】
この発明は、ステレオ感の向上化が図れる音声回路を提供することを目的とする。
【課題を解決するための手段】
【０００５】
請求項１に記載の発明は、ステレオ用の２つのマイクロホン、各マイクロホン毎に設けられかつマイクロホンの出力信号を増幅するための２つの利得可変増幅器および両マイクロホンの出力信号レベルに基づいて、両利得可変増幅器の利得を制御する利得制御手段を備えており、利得制御手段は、出力信号レベルが高い方のマイクロホンに対応する利得可変増幅器の利得を大きくさせ、出力信号レベルが低い方のマイクロホンに対応する利得可変増幅器の利得を小さくさせるように、両利得可変増幅器の利得を制御するものであることを特徴とする。
【０００６】
請求項２に記載の発明は、ステレオ用の２つのマイクロホン、各マイクロホン毎に設けられかつマイクロホンの出力信号を増幅するための２つの利得固定増幅器、各利得固定増幅器毎に設けられかつ利得固定増幅器の出力信号を増幅するための２つの利得可変増幅器および両利得固定増幅器の出力信号レベルに基づいて、両利得可変増幅器の利得を制御する利得制御手段を備えており、利得制御手段は、出力信号レベルが高い方の利得固定増幅器に対応する利得可変増幅器の利得を大きくさせ、出力信号レベルが低い方の利得固定増幅器に対応する利得可変増幅器の利得を小さくさせるように、両利得可変増幅器の利得を制御するものであることを特徴とする。
【発明の効果】
【０００７】
この発明によれば、ステレオ感の向上化が図れるようになる。
【発明を実施するための最良の形態】
【０００８】
以下、図面を参照して、この発明をＩＣレコーダの音声回路に適用した場合の実施例について説明する。
【実施例１】
【０００９】
図１は、音声回路の構成を示している。
【００１０】
左チャンネル用マイク１Ｌから出力される音声信号は、利得が固定された前段増幅器２Ｌによって増幅された後、利得が可変の後段増幅器３Ｌに送られる。後段増幅器３Ｌによって増幅された音声信号は、左チャンネル用の出力端子（ＯＵＴ−Ｌ）に送られる。後段増幅器３Ｌは、オペアンプＯＰ１と、帰還抵抗Ｒ１，Ｒ２とから構成されている。抵抗Ｒ２は可変となっており、抵抗Ｒ２の抵抗値が変化せしめられることにより、後段増幅器３Ｌの利得が変化せしめられる。
【００１１】
右チャンネル用マイク１Ｒから出力される音声信号は、利得が固定された前段増幅器２Ｒによって増幅された後、利得が可変の後段増幅器３Ｒに送られる。後段増幅器３Ｒによって増幅された音声信号は、右チャンネル用の出力端子（ＯＵＴ−Ｒ）に送られる。後段増幅器３Ｒは、オペアンプＯＰ２と、帰還抵抗Ｒ３，Ｒ４とから構成されている。抵抗Ｒ４は可変となっており、抵抗Ｒ４の抵抗値が変化せしめられることにより、後段増幅器３Ｒの利得が変化せしめられる。
【００１２】
前段増幅器２Ｌから出力される音声信号と、前段増幅器２Ｒから出力される音声信号とは、比較器１１にも入力される。比較器１１は、前段増幅器２Ｌの出力信号レベルと前段増幅器２Ｒの出力信号レベルとを比較し、いずれの出力信号レベルが高いかを示す信号を出力する。例えば、前段増幅器２Ｌの出力信号レベルが前段増幅器２Ｒの出力信号レベルより高いときには、比較器１１の出力は正の値となり、前段増幅器２Ｒの出力信号レベルが前段増幅器２Ｌの出力信号レベルより高いときには、比較器１１の出力は負の値となる。
【００１３】
比較器１１の出力信号は、Ａ／Ｄ変換器１２を介してマイコン（マイクロコンピュータ）１３に入力する。マイコン１３は、Ａ／Ｄ変換器１２の出力信号に基づいて、前段増幅器２Ｌの出力信号レベルと前段増幅器２Ｒの出力信号レベルとのいずれが高いかを判別する。そして、出力レベルが高い方の前段増幅器に対応する後段増幅器の利得を上げ、出力レベルが低い方の前段増幅器に対応する後段増幅器の利得を下げるように、可変抵抗Ｒ２，Ｒ４を制御する。
【００１４】
つまり、マイコン１３は、前段増幅器２Ｌの出力信号レベルが前段増幅器２Ｒの出力信号レベルより高いと判別したときには、後段増幅器３Ｌ内の可変抵抗Ｒ２の抵抗値が小さくなる（利得が大きくなる）ように可変抵抗Ｒ２を制御するとともに、後段増幅器３Ｒ内の可変抵抗Ｒ４の抵抗値が大きくなる（利得が小さくなる）ように可変抵抗Ｒ２を制御する。
【００１５】
逆に、前段増幅器２Ｌの出力信号レベルが前段増幅器２Ｒの出力信号レベルより低いと判別したときには、後段増幅器３Ｌ内の可変抵抗Ｒ２の抵抗値が大きくなる（利得が小さくなる）ように可変抵抗Ｒ２を制御するとともに、後段増幅器３Ｒ内の可変抵抗Ｒ４の抵抗値が小さくなる（利得が大きくなる）ように可変抵抗Ｒ２を制御する。このようにすると、左チャンネルの入力音声と右チャンネルの入力音声とのうち、大きい方の入力音声はより大きく、小さい方の入力音声はより小さくなるので、入力音声の方向性が強調され、ステレオ感が向上する。
【００１６】
なお、後段増幅器３Ｌ，３Ｒの取りうる利得として、通常値Ｇｏ、通常値より大きな利得Ｇｕ、通常値より小さい利得Ｇｄを予め定めておき、電源投入時には、後段増幅器３Ｌ，３Ｒの利得を通常値Ｇｏとし、その後においては次のように、後段増幅器３Ｌ，３Ｒの利得を制御するようにしてもよい。つまり、マイコン１３は、前段増幅器２Ｌの出力信号レベルが前段増幅器２Ｒの出力信号レベルより高いときには、後段増幅器３Ｌの利得がＧｕとなり、後段増幅器３Ｒの利得がＧｄとなるように、可変抵抗Ｒ２，Ｒ４を制御する。前段増幅器２Ｌの出力信号レベルが前段増幅器２Ｒの出力信号レベルより低いときには、マイコン１３は、後段増幅器３Ｌの利得がＧｄとなり、後段増幅器３Ｒの利得がＧｕとなるように、可変抵抗Ｒ２，Ｒ４を制御する。
【００１７】
また、通常値Ｇｏより大きな利得Ｇｕとして、２つの利得Ｇｕ１、Ｇｕ２（Ｇｕ２＞Ｇｕ１）を設定しておくとともに、通常値Ｇｏより小さな利得Ｇｄとして、２つの利得Ｇｄ１、Ｇｄ２（Ｇｄ２＜Ｇｄ１）を設定しておき、最初は利得を高くすべき方の後段増幅器の利得をＧｕ１とするとともに、利得を低くすべき方の後段増幅器の利得をＧｄ１とし、比較器１１の比較結果が同じ状態が続いた場合に、利得を高くすべき方の後段増幅器の利得をＧｕ２とするとともに、利得を低くすべき方の後段増幅器の利得をＧｄ２とするようにしてもよい。
【図面の簡単な説明】
【００１８】
【図１】音声回路の構成を示す電気回路図である。
【符号の説明】
【００１９】
１Ｌ，１Ｒ  マイク
２Ｌ，２Ｒ  前段増幅器
３Ｌ，３Ｒ  後段増幅器
１１  比較器
１２  Ａ／Ｄ変換器
１３  マイコン
【図１】
2005328114.tif 000003